(57)【特許請求の範囲】
【請求項１】
平行に配された複数本の枠骨と、この枠骨を水平状態に設置する吊り下げフックと、各枠骨に取り付けられた少なくとも一対のピンチとからなる物干し具において、上記各枠骨に、ラック状の係合段部と長さ方向の長孔とからなる長さ方向に延びるスライド溝を形成し、このスライド溝に取り付けられるスライド部材を、上面につまみを有する基板部と、この基板部の下面から垂れ下がり、スライド溝の長孔に嵌まる垂直壁と、垂直壁の両側面から側方に突出し、スライド溝の下縁に引っ掛かる係止爪と、垂直壁の下端に連続し、ピンチが取付けられるリング部とによって構成し、上記基板部に、スライド溝の係合段部に上方から係合し、スライド溝内におけるスライド部材の動きを阻止する突起を設け、この突起が基板部の撓みにより、スライド溝の係合段部を乗り越え可能であることを特徴とする物干し具。
【発明の詳細な説明】
【０００１】
【発明の属する技術分野】
この発明は、洗濯物を無理に引っ張ったり、洗濯物の両端部が垂れ下がったりすることなく干すことができる物干し具に関する。
【０００２】
【従来の技術および発明が解決しようとする課題】
一般家庭用の物干し具として、平行に配された複数本の枠骨に、各一対のピンチと、各枠骨を水平状態に設置する吊り下げフックとを備えたものが広く用いられている。
【０００３】
この物干し具では、図８および図９に示すように、前記一対のピンチ３１、３１が枠骨３２に揺動可能に取り付けられていることが多いが、その取付位置を変更することはできない。このため、洗濯物を一対のピンチにはさんで干した場合、図示のように、ハンカチのように小さなものでは、無理に引っ張られて生地が伸びひるという問題や、バスタオルのように幅の広いものでは、その両端部が垂れ下がって皺になったり、垂れ下がった部分が重なって乾きにくいという問題がある。
【０００４】
そこで、この発明の課題は、洗濯物の幅に合わせてピンチの取付幅を調整可能な物干し具を提供することにある。
【０００５】
【課題を解決するための手段】
前記の課題を解決するために、この発明では、平行に配された複数本の枠骨と、この枠骨を水平状態に設置する吊り下げフックと、各枠骨に取り付けられた少なくとも一対のピンチとからなる物干し具において、前記一対のピンチの少なくとも一方を、枠骨に対してスライド可能に設けることとした。
【０００６】
このような物干し具は、前記少なくとも一方のピンチを、他方のピンチに近づけたり遠ざけたりすることができるので、枠骨に対するピンチの取付位置の変更が可能となる。
【０００７】
また、前記枠骨に対してスライド可能に設けられたピンチを、ピンチと枠骨との取付部分に設けたストッパ手段により、枠骨に対して所定位置で係止可能とすることにより、ピンチを枠骨上の任意の位置で固定することができるので、使用中、風がふいてもピンチが動かない。
【０００８】
【発明の実施の形態】
図１に示す物干し具は、複数本の枠骨１と、この枠骨１を水平状態に設置する吊り下げフック２と、各枠骨１に取り付けられた一対のピンチ３、３とからなる。
【０００９】
各枠骨１は、適宜な間隔をあけて互いに平行となるように配置されている。各枠骨１の両端部は互いに連結されており、全体として、前記連結部側が各枠骨１よりも長い、矩形の骨組体を構成している。この骨組体には、その中間から半分に折り畳み可能となるヒンジ４、４が二箇所設けられている。骨組体の周縁部には、四本のチェーン５が取り付けられており、それぞれ骨組体の上方で、前記吊り下げフック２を介して連結されている。
【００１０】
また、各枠骨１には、図２乃至図４に示すように、その長さ方向に延びるスライド溝６が形成されており、このスライド溝６には、スライド部材７が取り付けられている。
【００１１】
スライド溝６は、ラック状の係合段部８と、長さ方向の長孔９とからなる。スライド部材７は、上面につまみ１０を有する基板部１１と、この基板部１１の下面から垂れ下がる垂直壁１２と、垂直壁１２の両側面から側方に突出する係止爪１３と、垂直壁１２の下端に連続するピンチ取付用のリング部１４とから構成されている。基板部１１には、下方に突出する突起１５、１５が形成されており、リング部１４には、スチール製の鎖１６を介してピンチ３が取り付けられている。
【００１２】
このスライド部材７は、図示のように、垂直壁１２がスライド溝６の長孔９に嵌まり、係止爪１３がスライド溝６の下縁に引っ掛かって、スライド溝６から抜け出さないようになっている。また、前記突起１５は、スライド溝６の係合段部８に上方から係合し、スライド溝６内におけるスライド部材７の動きを阻止することにより、係合段部８とともに、枠骨１に対するピンチ３のストッパ手段を構成している。
【００１３】
このような物干し具は、スライド部材７のつまみ１０を操作して一定以上の力を加えると、樹脂の有する弾性によって取付具の基板部１１が撓み、突起１５が係合段部８を次々と乗り越えて、スライド部材７をスライド溝６内部でその長さ方向に移動させることができる。これにより、前記一対のピンチ３、３を、それぞれ他方のピンチに近づけたり遠ざけたりすることができるので、その取付位置が変更可能となり、洗濯物の幅に合わせて各ピンチ３、３の取付幅の調整が可能となる。
【００１４】
ピンチ３に洗濯物を吊り下げたときには、その荷重がスライド部材７にかかり、前記突起１５と係合段部８とがより強く係合して、スライド溝６とスライド部材７との抵抗が大きくなる。この結果、スライド部材７がスライド溝６内で動きにくくなるので、取付幅を調整した前記ピンチ３を、枠骨１の所定位置で係止することができる。
【００１５】
なお、図５に示すように、前記スライド溝６を枠骨１の一端部から他端よりにかけて設け、一対のピンチ３ａ、３ｂのうち、一方のピンチ３ａを枠骨１に固定し、他方のピンチ３ｂのみをスライド可能とすることもできる。
【００１６】
さらに、枠骨に対するピンチのストッパ手段は、図６または図７のように構成することもできる。
【００１７】
図６に示す枠骨１７は、断面円形をなしており、その外周面には、所定間隔をあけて節状の突起１８が複数設けられている。この枠骨１７には、上端につまみ１９を有する筒形のスライド部材２０が嵌め入れられており、このスライド部材２０は、前記突起１８、１８間にぴったりと嵌まる長さに形成されている。
【００１８】
このような物干し具は、スライド部材２０のつまみ１９を操作すると、前記実施例と同様に、スライド部材２０が突起１８を次々と乗り越え、枠骨１７上を移動して、スライド部材２０を任意の突起１８、１８間に係止できる。
【００１９】
図７に示すピンチ３と枠骨２１との取付部分には、断面円形の枠骨２１上をスライド可能なクリップ２２が、ストッパ手段として取り付けられている。この実施例においては、クリップ２２を押し広げてスライドさせ、任意の位置で枠骨２１をはさんで固定することにより、ピンチの取付位置を調整することができる。
【００２０】
【発明の効果】
以上説明したように、この発明に係る物干し具は、枠骨に設けた一対のピンチの少なくとも一方を枠骨に対してスライド可能に設けたことにより、一方のピンチを、他方のピンチに近づけたり遠ざけたりすることができる。このため、その取付位置の変更が可能となり、洗濯物の幅に合わせて各ピンチの取付幅を調整することができるので、洗濯物を無理に引っ張ったり、たるみを生じたまま干したりすることがない。
【００２１】
また、前記ピンチと枠骨との取付部分にストッパ手段を設けることにより、前記取付調整したピンチを、枠骨上の所定位置で固定することができるので、使用中、風がふいてもピンチの取付幅が変わらない。
【図面の簡単な説明】
【図１】この発明に係る物干し具の第一実施例を示す斜視図
【図２】図１の物干し具の要部を示す分解斜視図
【図３】図１の物干し具における枠骨とピンチとの取付部分を示す一部切欠側面図
【図４】同上の断面図
【図５】この発明に係る物干し具の第二実施例を示す斜視図
【図６】この発明に係る物干し具の第三実施例を示す要部斜視図
【図７】この発明に係る物干し具の第四実施例を示す要部斜視図
【図８】従来の物干し具の使用状態を示す説明図
【図９】従来の物干し具の他の使用状態を示す説明図
【符号の説明】
１、１７、２１、３２  枠骨
２  吊り下げフック
３、３ａ、３ｂ、３１  ピンチ
４  ヒンジ
５  チェーン
６  スライド溝
７、２０  スライド部材
８  係合段部
９  長孔
１０、１９  つまみ
１１  基板部
１２  垂直壁
１３  係合爪
１４  リング部
１５、１８  突起
１６  鎖
２２  クリップ
【図１】
0003616206.tif 000002
【図２】
0003616206.tif 000003
【図３】
0003616206.tif 000004
【図４】
0003616206.tif 000005
【図５】
0003616206.tif 000006
【図６】
0003616206.tif 000007
【図７】
0003616206.tif 000008
【図８】
0003616206.tif 000009
【図９】
0003616206.tif 000010